(57)【要約】【課題】  液晶表示装置をパワーセーブ状態に設定する際に、表示画面の残像を迅速に消去することができるとともに、残留電圧による焼き付きの発生や液晶の劣化を抑制することができる液晶表示装置及びその駆動方法を提供すること。【解決手段】  互いに直交する複数の走査ラインと複数の信号ラインとの交点近傍に表示画素を形成するアクティブマトリクス型の液晶表示パネル１０を備えた液晶表示装置１において、信号ドライバ８０は、パワーセーブ制御信号Ｐｓａｖがローレベルの場合に、反転アンプ５０から入力される輝度信号に対応する表示信号電圧を液晶表示パネル１０の各信号ラインに供給し、パワーセーブ制御信号Ｐｓａｖがハイレベルの場合には、所定の低信号レベルを有する電圧Ｖｌを液晶表示パネル１０の各信号ラインに供給する。【選択図】図１
2005274868.tif 000002
【特許請求の範囲】
【請求項１】
複数の走査ライン及び複数の信号ラインと、前記複数の走査ラインと複数の信号ラインとの各交点近傍にマトリクス状に配列された複数の画素電極と、各画素電極に対向する共通電極と、前記画素電極と前記共通電極間に充填された液晶と、を有する液晶表示パネルを備え、前記複数の信号ラインに所定の映像信号に基づく表示信号電圧を印加し、前記共通電極に所定のコモン電圧を印加して、当該液晶表示パネルを駆動する液晶表示装置であって、
前記液晶表示装置をパワーセーブ状態に設定するためのパワーセーブ制御信号の入力手段と、前記入力手段にパワーセーブ制御信号が入力された場合に、少なくとも、前記信号ラインを介して前記画素電極に所定の低信号レベルを有する第１の信号電圧を固定的に印加するように制御する手段と、を有するパワーセーブ状態制御手段を備えることを特徴とする液晶表示装置。
【請求項２】
前記液晶表示装置は、前記複数の信号ラインに前記表示信号電圧を印加する信号駆動手段を備え、
前記パワーセーブ状態制御手段は、少なくとも、前記信号駆動手段における前記表示信号電圧を前記信号ラインに出力するバッファ回路部に設けられ、前記パワーセーブ制御信号及び前記第１の信号電圧が接続され、前記パワーセーブ制御信号が入力されたとき前記第１の信号電圧を前記信号ラインに供給するように切り替えるスイッチ手段からなることを特徴とする請求項１に記載の液晶表示装置。
【請求項３】
前記パワーセーブ状態制御手段は、さらに、前記入力手段に前記パワーセーブ制御信号が入力された場合に、前記共通電極に所定の低信号レベルを有する第２の信号電圧を固定的に印加するように制御する制御手段を備えることを特徴とする請求項１または２に記載の液晶表示装置。
【請求項４】
前記液晶表示装置は、前記コモン電圧を生成して前記共通電極に印加する共通電極駆動手段と、所定の周期で反転制御される極性反転制御信号に応じて前記共通電極駆動手段により生成される前記コモン電圧の極性を制御する手段と、を備え、
前記パワーセーブ状態制御手段は、前記パワーセーブ制御信号が入力された場合に、前記極性反転制御信号を所定の低信号レベルに固定的に設定し、これにより前記コモン電圧を前記第２の信号電圧に設定する手段を備えることを特徴とする請求項３に記載の液晶表示装置。
【請求項５】
前記第１の信号電圧および前記第２の信号電圧は、同一の電位を有することを特徴とする請求項３に記載の液晶表示装置。
【請求項６】
前記第１の信号電圧および前記第２の信号電圧は、接地電位を有することを特徴とする請求項３に記載の液晶表示装置。
【請求項７】
前記第１の信号電圧および前記第２の信号電圧は、該第１の信号電圧と該第２の信号電圧との電位差が、前記液晶表示パネルの前記液晶の閾値電圧より小さい値となる電圧であることを特徴とする請求項３に記載の液晶表示装置。
【請求項８】
複数の走査ライン及び複数の信号ラインと、前記複数の走査ラインと複数の信号ラインとの各交点近傍にマトリクス状に配列された複数の画素電極と、各画素電極に対向する共通電極と、前記画素電極と前記共通電極間に充填された液晶と、を有する液晶表示パネルを備え、前記複数の信号ラインに所定の映像信号に基づく表示信号電圧を印加し、前記共通電極に所定のコモン電圧を印加して、当該液晶表示パネルを駆動する液晶表示装置の駆動方法であって、
前記液晶表示装置をパワーセーブ状態に設定する際に、パワーセーブ制御信号を該液晶表示装置に入力し、
入力された前記パワーセーブ制御信号に応じて、前記信号ラインを介して前記画素電極に所定の低信号レベルを有する第１の信号電圧を固定的に印加することを特徴とする液晶表示装置の駆動方法。
【請求項９】
入力された前記パワーセーブ制御信号に応じて、さらに、前記共通電極に所定の信号レベルを有する第２の信号電圧を印加することを特徴とする請求項８に記載の液晶表示装置の駆動方法。
【請求項１０】
前記第１の信号電圧および前記第２の信号電圧は、同一の電位を有することを特徴とする請求項９に記載の液晶表示装置の駆動方法。
【請求項１１】
前記第１の信号電圧および前記第２の信号電圧は、接地電位を有することを特徴とする請求項９に記載の液晶表示装置の駆動方法。
【請求項１２】
前記第１の信号電圧および前記第２の信号電圧は、該第１の信号電圧と該第２の信号電圧との電位差が、前記液晶表示パネルの前記液晶の閾値電圧より小さい値となる電圧であることを特徴とする請求項９に記載の液晶表示装置の駆動方法。
【発明の詳細な説明】
【技術分野】
【０００１】
本発明は、マトリクス状に表示画素が形成された液晶表示パネルを駆動する液晶表示装置及びその駆動方法に関する。
【背景技術】
【０００２】
従来から、互いに直交する複数の走査ラインと複数の信号ラインとの交点近傍に表示画素を形成するアクティブマトリクス型の液晶表示パネルを備えた液晶表示装置が知られている。
【０００３】
図４は、従来技術における液晶表示装置の概略構成の一例を示すブロック図であり、図５は、従来技術における液晶表示パネルの回路構成の一例を示す図である。図４に示すように、液晶表示装置１ａは、液晶表示パネル１０と、ＲＧＢデコーダ２０と、ＬＣＤコントローラ３０と、反転アンプ５０と、駆動アンプ６０と、走査ドライバ７０と、信号ドライバ８０ａと、を備えて構成されている。
【０００４】
液晶表示パネル１０は、図５に示すように、行方向に配設された走査ライン（ゲートライン）Ｌｇ及び列方向に配設された信号ライン（ソースライン）Ｌｄと、各走査ラインＬｇと各信号ラインＬｄとの交点近傍に配置された画素電極と、各画素電極と対向して配置され、コモン電圧Ｖｃｏｍが印加される共通電極と、画素電極と共通電極との間に充填、保持された液晶からなる液晶容量（画素容量）Ｃｌｃと、液晶容量Ｃｌｃに印加された信号電圧を保持するための蓄積容量（補助容量）Ｃｓと、走査ラインＬｇと平行して配設され、所定電圧Ｖｃｓ（例えば、コモン電圧Ｖｃｏｍ）が印加される容量配線Ｌｃと、ゲートが走査ラインＬｇに、ソースが信号ラインＬｄに、ドレインが液晶容量Ｃｌｃに、それぞれ接続された薄膜トランジスタＴＦＴと、及び容量配線Ｌｃ（所定電圧Ｖｃｓ）と各信号ラインＬｄとの間に接続された静電保護抵抗Ｒｃｓと、を備えて構成されている。
【０００５】
ＲＧＢデコーダ２０は、液晶表示装置１ａの外部から供給される映像信号（コンポジットビデオ信号）から、水平同期信号Ｈ、垂直同期信号Ｖ及びコンポジット同期信号ＣＳＹを抽出してＬＣＤコントローラ３０に出力するとともに、映像信号に含まれるＲＧＢの各色信号（ＲＧＢ信号）を抽出し、反転アンプ５０に出力する。
【０００６】
ＬＣＤコントローラ３０は、ＲＧＢデコーダ２０から入力される水平同期信号Ｈ、垂直同期信号Ｖ、及びコンポジット同期信号ＣＳＹに基づいて、液晶表示パネル１０に映像信号に基づく所定の画像情報を表示させるための制御を行う。具体的には、ＬＣＤコントローラ３０は、極性反転信号ＦＲＰを生成して反転アンプ５０及び駆動アンプ６０に出力するとともに、水平制御信号（信号ラインアウトプットイネーブル信号、クリア信号等）及び垂直制御信号（ゲートスタート信号、ゲートクロック、ゲートラインアウトプットイネーブル信号等）を生成し、生成した水平制御信号を信号ドライバ８０ａに、垂直制御信号を走査ドライバ７０に、それぞれ出力する。
【０００７】
反転アンプ５０は、ＬＣＤコントローラ３０から出力される極性反転信号ＦＲＰが入力され、極性反転信号ＦＲＰに基づいて、ＲＧＢデコーダ２０から入力されるＲＧＢ信号の極性を例えば水平走査期間毎に周期的に反転させてＲＧＢ反転信号（輝度信号）を生成し、信号ドライバ８０ａに出力する。
駆動アンプ６０は、ＬＣＤコントローラ３０から出力される極性反転信号ＦＲＰが入力され、極性反転信号ＦＲＰに基づいて、共通電極及び容量配線Ｌｃに印加するコモン電圧Ｖｃｏｍの極性を例えば水平走査期間毎に周期的に反転する。
【０００８】
走査ドライバ７０は、シフトレジスタやゲート回路等で構成され、ＬＣＤコントローラ３０から入力される垂直制御信号に基づいて、各走査ラインＬｇに走査信号（ゲートパルス）を順次印加する。
信号ドライバ８０ａは、シフトレジスタや、サンプルホールド回路、バッファ回路等で構成され、ＬＣＤコントローラ３０から入力される水平制御信号に基づいて、反転アンプ５０から入力される輝度信号を順次サンプリングし、対応する表示信号電圧を水平走査期間毎に各信号ラインＬｄに一斉に印加する。
【０００９】
そして、液晶表示パネル１０の走査ラインＬｇ及び信号ラインＬｄが、前述の走査ドライバ７０及び信号ドライバ８０ａによって順次選択駆動され、各信号ラインＬｄに印加された表示信号電圧が、液晶表示パネル１０の薄膜トランジスタＴＦＴを介して各画素電極に印加される。この結果、表示信号電圧と共通電極に印加されるコモン電圧Ｖｃｏｍとの電位差（画素電位）による電荷が各表示画素の液晶容量Ｃｌｃに充電（保持）されて、各表示画素における液晶分子の配向状態が制御され、映像（画像）が液晶表示パネル１０に表示される。
【００１０】
ところで、従来の液晶表示装置において、例えば機器の待機状態等において、自動的に、あるいはユーザーの操作に応じて、必要最小限の部分のみを動作状態とするとともに、表示を非表示状態として、消費電力を低減させるパワーセーブ状態に移行させる機能を有するものが知られており、例えば特許文献１等に開示されている。例えば、図４は、従来技術におけるパワーセーブ機能を備える液晶表示装置の構成の一例を示すものであり、パワーセーブ制御信号Ｐｓａｖは、液晶表示装置１ａをパワーセーブ状態に設定／解除するための信号であり、信号ドライバ８０ａに供給され、例えば、ハイレベルで液晶表示装置１ａをパワーセーブ状態に設定し、ローレベルでパワーセーブ状態を解除するように構成される。詳細には、信号ドライバ８０ａを構成するバッファ回路の出力状態がパワーセーブ制御信号Ｐｓａｖの状態に基づいて制御され、液晶表示装置１ａのパワーセーブ状態の設定／解除がなされる。
【００１１】
図６は、従来技術におけるパワーセーブ機能を備える液晶表示装置の信号ドライバのバッファ回路の要部構成の一例を示す図である。ここで、信号ドライバ８０ａにおけるバッファ回路８２ａは、表示信号電圧を、水平走査期間毎に、液晶表示パネル１０の各信号ラインＬｄに一斉に印加する部分である。図６に示すように、信号ドライバ８０ａにおいて、バッファ回路８２ａにはパワーセーブ制御信号Ｐｓａｖが印加され、パワーセーブ制御信号Ｐｓａｖがローレベルの場合には、通常の駆動状態に設定されて、バッファ回路８２ａは、反転アンプ５０から入力される輝度信号に対応する表示信号電圧を各信号ラインＬｄに供給する。また、このバッファ回路８２ａは、パワーセーブ制御信号Ｐｓａｖがローレベルからハイレベルに切り替えられた場合には、パワーセーブ状態としてハイインピーダンス状態に設定されて、信号ドライバ８０ａから信号ラインＬｄへの表示信号電圧の供給が遮断される。
【特許文献１】特開２００３−２３３３５１号公報
【発明の開示】
【発明が解決しようとする課題】
【００１２】
ところで、液晶表示装置１ａをパワーセーブ状態に設定する際には、上記したように信号ドライバ８０ａから信号ラインＬｄへの表示信号電圧の供給が遮断される。このため、各表示画素の液晶容量Ｃｌｃは、パワーセーブ状態に移行した時点では、直前の電位を保持した状態となる。そして、この表示画素の液晶容量Ｃｌｃに保持された電荷（残留電圧）は、静電保護抵抗Ｒｃｓや周辺配線（走査ラインＬｇ、信号ラインＬｄ、容量配線Ｌｃ等）、トランジスタＴＦＴ等を介して発生するリーク電流により徐々に放電され、最終的には電荷が無くなって画素電極の電位がコモン電圧Ｖｃｏｍと同電位となる。
【００１３】
ここで、残留電圧がリーク電流によりコモン電圧Ｖｃｏｍと略同等の電位となるまで（残像期間）には、場合によっては数秒程度の比較的長い時間を要する場合があり、画像が徐々に消えていくといったいわゆる残像が発生し、見苦しい表示画面となってしまうという問題があった。さらに、この間に液晶容量Ｃｌｃに印加されている残留電圧によって、表示画面の焼き付きの発生や液晶の劣化を招く可能性があるという問題があった。
【００１４】
また、液晶表示装置１ａをパワーセーブ状態に設定する際には、例えば、共通電極及び容量配線Ｌｃに印加されるコモン電圧Ｖｃｏｍの駆動アンプ６０による周期的な反転動作を停止させるように構成されるが、パワーセーブ状態に設定された時点のコモン電圧Ｖｃｏｍの電圧レベルは不定であるため、コモン電圧Ｖｃｏｍがハイレベルとなるタイミングでパワーセーブ状態に設定された場合には、ハイレベルのコモン電圧Ｖｃｏｍから所定の低電圧レベル（例えば、接地電位：０Ｖ）まで電荷を放電して安定するまでに時間を比較的長い時間を要し、また、この間に各画素電極に印加される残留電圧によって液晶表の劣化を招く可能性があるという問題があった。
【００１５】
そこで本発明は、液晶表示装置をパワーセーブ状態に設定する際に、表示画面の残像を迅速に消去することができるとともに、残留電圧による焼き付きの発生や液晶の劣化を抑制することができる液晶表示装置及びその駆動方法を提供することを目的とする。
【課題を解決するための手段】
【００１６】
以上の課題を解決するため、請求項１に記載の発明の液晶表示装置は、複数の走査ライン及び複数の信号ラインと、前記複数の走査ラインと複数の信号ラインとの各交点近傍にマトリクス状に配列された複数の画素電極と、各画素電極に対向する共通電極と、前記画素電極と前記共通電極間に充填された液晶と、を有する液晶表示パネルを備え、前記複数の信号ラインに所定の映像信号に基づく表示信号電圧を印加し、前記共通電極に所定のコモン電圧を印加して、当該液晶表示パネルを駆動する液晶表示装置であって、前記液晶表示装置をパワーセーブ状態に設定するためのパワーセーブ制御信号の入力手段と、前記入力手段にパワーセーブ制御信号が入力された場合に、少なくとも、前記信号ラインを介して前記画素電極に所定の低信号レベルを有する第１の信号電圧を固定的に印加するように制御する手段と、を有するパワーセーブ状態制御手段を備えることを特徴としている。
【００１７】
また、請求項８に記載の発明の液晶表示装置の駆動方法は、複数の走査ライン及び複数の信号ラインと、前記複数の走査ラインと複数の信号ラインとの各交点近傍にマトリクス状に配列された複数の画素電極と、各画素電極に対向する共通電極と、前記画素電極と前記共通電極間に充填された液晶と、を有する液晶表示パネルを備え、前記複数の信号ラインに所定の映像信号に基づく表示信号電圧を印加し、前記共通電極に所定のコモン電圧を印加して、当該液晶表示パネルを駆動する液晶表示装置の駆動方法であって、前記液晶表示装置をパワーセーブ状態に設定する際に、パワーセーブ制御信号を該液晶表示装置に入力し、入力された前記パワーセーブ制御信号に応じて、前記信号ラインを介して前記画素電極に所定の低信号レベルを有する第１の信号電圧を固定的に印加することを特徴としている。
【００１８】
この請求項１又は８に記載の発明によれば、液晶表示装置をパワーセーブ状態に設定するために、液晶表示装置にパワーセーブ制御信号が入力された場合に、信号ラインを介して各画素電極に所定の低信号レベルを有する第１の信号電圧を固定的に印加することができる。これにより、パワーセーブ状態に移行した時点で、各画素電極に印加される電圧が所定の低信号レベルを有する第１の信号電圧に固定されるので、表示画面の残像消去にかかる時間を短縮することができる。これにより、残留電圧による焼き付きの発生や液晶表示パネルの劣化を抑制することができる。
【００１９】
請求項２に記載の液晶表示装置は、請求項１に記載の液晶表示装置において、前記液晶表示装置は、前記複数の信号ラインに前記表示信号電圧を印加する信号駆動手段を備え、前記パワーセーブ状態制御手段は、少なくとも、前記信号駆動手段における前記表示信号電圧を前記信号ラインに出力するバッファ回路部に設けられ、前記パワーセーブ制御信号及び前記第１の信号電圧が接続され、前記パワーセーブ制御信号が入力されたとき前記第１の信号電圧を前記信号ラインに供給するように切り替えるスイッチ手段からなることを特徴としている。
【００２０】
この請求項２に記載の発明によれば、液晶表示装置における信号駆動手段のバッファ回路部に、パワーセーブ制御信号が入力されたときに第１の信号電圧を信号ラインに供給するように切り替えるスイッチ手段を備えて、パワーセーブ制御信号が入力された場合に信号ラインに第１の信号電圧を印加することができる。
【００２１】
請求項３に記載の液晶表示装置は、請求項１または２に記載の液晶表示装置において、前記パワーセーブ状態制御手段は、さらに、前記入力手段に前記パワーセーブ制御信号が入力された場合に、前記共通電極に所定の低信号レベルを有する第２の信号電圧を固定的に印加するように制御する制御手段を備えることを特徴としている。
【００２２】
請求項４に記載の液晶表示装置は、請求項３に記載の液晶表示装置において、前記液晶表示装置は、前記コモン電圧を生成して前記共通電極に印加する共通電極駆動手段と、所定の周期で反転制御される極性反転制御信号に応じて前記共通電極駆動手段により生成される前記コモン電圧の極性を制御する手段と、を備え、前記パワーセーブ状態制御手段は、前記パワーセーブ制御信号が入力された場合に、前記極性反転制御信号を所定の低信号レベルに固定的に設定し、これにより前記コモン電圧を前記第２の信号電圧に設定する手段を備えることを特徴としている。
【００２３】
この請求項３又は４に記載の発明によれば、パワーセーブ制御信号が入力されたときに共通電極に第２の信号電圧を固定的に印加する制御手段を備えて、パワーセーブ制御信号が入力された場合に共通電極の電位を第２の信号電圧に設定することができる。
【００２４】
請求項５に記載の液晶表示装置は、請求項３に記載の液晶表示装置において、前記第１の信号電圧および前記第２の信号電圧は、同一の電位を有することを特徴としている。
【００２５】
請求項６に記載の液晶表示装置は、請求項３に記載の液晶表示装置において、前記第１の信号電圧および前記第２の信号電圧は、接地電位を有することを特徴としている。
【００２６】
請求項７に記載の液晶表示装置は、請求項３に記載の液晶表示装置において、前記第１の信号電圧および前記第２の信号電圧は、該第１の信号電圧と該第２の信号電圧との電位差が、前記液晶表示パネルの前記液晶の閾値電圧より小さい値となる電圧であることを特徴としている。
【００２７】
請求項１０に記載の液晶表示装置の駆動方法は、請求項９に記載の液晶表示装置の駆動方法において、前記第１の信号電圧および前記第２の信号電圧は、同一の電位を有することを特徴とする。
【００２８】
請求項１１に記載の液晶表示装置の駆動方法は、請求項９に記載の液晶表示装置の駆動方法において、前記第１の信号電圧および前記第２の信号電圧は、接地電位を有することを特徴とする。
【００２９】
請求項１２に記載の液晶表示装置の駆動方法は、請求項９に記載の液晶表示装置の駆動方法において、前記第１の信号電圧および前記第２の信号電圧は、該第１の信号電圧と該第２の信号電圧との電位差が、前記液晶表示パネルの前記液晶の閾値電圧より小さい値となる電圧であることを特徴とする。
【００３０】
この請求項５〜７又は請求項１０〜１２の何れかに記載の発明によれば、液晶表示装置をパワーセーブ状態に設定する際に信号ラインに印加される第１の信号電圧及び共通電極に印加される第２の信号電圧の値を、同電位あるいは接地電位、又は、両電圧間の電位差が液晶の閾値電圧より小さい値となる電圧として、表示画面の残像消去にかかる時間を短縮し、残留電圧による焼き付きの発生や液晶表示パネルの劣化を抑制することができる。
【発明の効果】
【００３１】
請求項１又は４に記載の発明によれば、液晶表示装置をパワーセーブ状態に設定するために、液晶表示装置にパワーセーブ制御信号が入力された場合に、信号ラインを介して各画素電極に所定の低信号レベルを有する第１の信号電圧を固定的に印加することができる。これにより、パワーセーブ状態に移行した時点で、各画素電極に印加される電圧が所定の低信号レベルを有する第１の信号電圧に固定されるので、表示画面の残像消去にかかる時間を短縮することができる。これにより、残留電圧による焼き付きの発生や液晶表示パネルの劣化を抑制することができる。
【００３２】
請求項２に記載の発明によれば、液晶表示装置における信号駆動手段のバッファ回路部に、パワーセーブ制御信号が入力されたときに第１の信号電圧を信号ラインに供給するように切り替えるスイッチ手段を備えて、パワーセーブ制御信号が入力された場合に信号ラインに第１の信号電圧を印加することができる。
請求項３又は４に記載の発明によれば、パワーセーブ制御信号が入力されたときに共通電極に第２の信号電圧を固定的に印加する制御手段を備えて、パワーセーブ制御信号が入力された場合に共通電極の電位を第２の信号電圧に設定することができる。
【００３３】
請求項５〜７又は請求項１０〜１２の何れかに記載の発明によれば、液晶表示装置をパワーセーブ状態に設定する際に信号ラインに印加される第１の信号電圧及び共通電極に印加される第２の信号電圧の値を、同電位あるいは接地電位、又は、両電圧間の電位差が液晶の閾値電圧より小さい値となる電圧として、表示画面の残像消去にかかる時間を短縮し、残留電圧による焼き付きの発生や液晶表示パネルの劣化を抑制することができる。
【発明を実施するための最良の形態】
【００３４】
以下、図１〜図３を参照して、本発明を適用した液晶表示装置の実施形態について詳細に説明する。
【００３５】
図１は、本発明に係わる表示装置の全体構成の一実施形態を示すブロック図であり、図２は、本実施形態に係わる表示装置に適用される信号ドライバにおけるバッファ回路部の要部構成例を示す図であり、図３は、本実施形態に係わる表示装置に適用されるＦＲＰ制御回路の回路構成の一例を示す図である。尚、図１において、従来技術として図４を参照して説明した液晶表示装置１ａと同等に機能する構成要素には同一の符号を付し、以下ではその説明を簡略化又は省略する。図１に示すように、本実施形態に係わる液晶表示装置１は、液晶表示パネル１０と、ＲＧＢデコーダ２０と、ＬＣＤコントローラ３０と、ＦＲＰ制御回路４０と、反転アンプ５０と、駆動アンプ６０と、走査ドライバ７０と、信号ドライバ８０とを備えて構成されている。
【００３６】
すなわち、本実施形態に係わる液晶表示装置１における信号ドライバ８０は、図４に示した従来技術における信号ドライバ８０ａと同様に、シフトレジスタや、サンプルホールド回路、バッファ回路、制御回路等で構成され、ＬＣＤコントローラ３０から入力される水平制御信号に基づいて、反転アンプ５０から入力される輝度信号を順次サンプリングし、対応する表示信号電圧を一水平走査期間毎に液晶表示パネル１０の各信号ラインＬｄに一斉に印加する構成を備えるとともに、図１に示すように、表示信号電圧を各信号ラインＬｄに印加するバッファ回路部にパワーセーブ制御信号Ｐｓａｖ及び電圧Ｖｌが供給されて、バッファ回路の出力状態が、パワーセーブ制御信号Ｐｓａｖの状態に基づいて制御される構成を備えている。ここで、パワーセーブ制御信号Ｐｓａｖは、従来技術と同様に、液晶表示装置１をパワーセーブ状態に設定／解除するための信号であり、例えば、ハイレベルで液晶表示装置１をパワーセーブ状態に設定し、ローレベルでパワーセーブ状態を解除するようになっている。
【００３７】
図２は、本実施形態に係わる表示装置に適用される信号ドライバにおけるバッファ回路部の要部構成例を示す図である。すなわち、図２に示すように、本実施形態における信号ドライバ８０のバッファ回路部は、パワーセーブ制御信号Ｐｓａｖが供給されるバッファ回路８２と、バッファ回路８２の出力端に接続されてパワーセーブ制御信号Ｐｓａｖが供給される制御回路８４と、を有して構成される。ここで、バッファ回路８２は、従来技術と同様に、パワーセーブ制御信号Ｐｓａｖがローレベルの場合には、通常の駆動状態に設定されて、反転アンプ５０から入力される輝度信号に対応する表示信号電圧を出力する。また、このバッファ回路８２は、パワーセーブ制御信号Ｐｓａｖがハイレベルに設定されて、パワーセーブ状態に設定される場合には、パワーセーブ状態として出力インピーダンスがハイインピーダンス状態に設定されて、信号ドライバ８０から表示信号電圧の出力を遮断する。
【００３８】
一方、制御回路８４は、パワーセーブ制御信号Ｐｓａｖによってオンオフ制御され、一端がバッファ回路８２の出力端に接続されるとともに、他端が所定の低信号レベルを有する電圧Ｖｌ（第１の信号電圧）に接続されるスイッチ８４ａを備える。ここで、電圧Ｖｌは、例えば、接地電位（０Ｖ）を有する一定電位に設定される。そして、この制御回路８４は、パワーセーブ制御信号Ｐｓａｖがローレベルの場合には、スイッチ８４ａがオフ状態に設定されて、バッファ回路８２から出力される表示信号電圧を、そのまま出力して、液晶表示パネル１０の各信号ラインＬｄに供給する。また、パワーセーブ制御信号Ｐｓａｖがハイレベルに設定されて、パワーセーブ状態に設定される場合には、スイッチ８４ａがオン状態に切り替え制御されて電圧Ｖｌに接続され、このとき、バッファ回路８２はハイインピーダンス状態に設定されていることにより、信号ドライバ８０の出力は、所定の低信号レベルを有する電圧Ｖｌに固定的に設定される。
【００３９】
これにより、パワーセーブ制御信号Ｐｓａｖがローレベルからハイレベルに切り替えられた場合に、信号ドライバ８０の出力が所定の低信号レベルを有する電圧Ｖｌに固定的に設定され、液晶表示パネル１０の各信号ラインＬｄに供給して、液晶表示パネル１０の各画素電極に、所定の低信号レベルを有する電圧Ｖｌ（第１の信号電圧）に固定的に印加する。
【００４０】
また、本実施形態の液晶表示装置１では、図１に示すように、ＬＣＤコントローラ３０と駆動アンプ６０との間にＦＲＰ制御回路４０が介在され、ＦＲＰ制御回路４０にＬＣＤコントローラ３０により生成された極性反転信号ＦＲＰ及びパワーセーブ制御信号Ｐｓａｖが供給されて、出力極性反転信号ＦＲＰｏｕｔを出力する構成を備える。また、駆動アンプ６０は、ＦＲＰ制御回路４０から出力される出力極性反転信号ＦＲＰｏｕｔが入力され、この出力極性反転信号ＦＲＰｏｕｔに基づいて、液晶表示パネル１０の共通電極及び容量配線に印加するコモン電圧Ｖｃｏｍの極性を反転制御するように構成される。
【００４１】
ＦＲＰ制御回路４０は、図３に示すように、例えば、パワーセーブ制御信号Ｐｓａｖが印加されて、パワーセーブ制御信号Ｐｓａｖを反転した信号を出力するインバータ回路４０ａと、ＬＣＤコントローラ３０から出力される極性反転信号ＦＲＰとインバータ回路４０ａから出力されるパワーセーブ制御信号Ｐｓａｖの反転信号が入力されて、出力極性反転信号ＦＲＰｏｕｔを出力するアンド回路４０ｂと、を備えた構成を有している。このＦＲＰ制御回路４０の出力（出力極性反転信号ＦＲＰｏｕｔ）は、パワーセーブ制御信号Ｐｓａｖの状態に基づいて制御される。具体的には、ＦＲＰ制御回路４０は、パワーセーブ制御信号Ｐｓａｖがローレベルの場合には、インバータ回路４０ａから出力されアンド回路４０ｂの一方の入力端に印加される信号レベルがハイレベルとなるため、ＬＣＤコントローラ３０から出力されて、アンド回路４０ｂの他方の入力端に印加される極性反転信号ＦＲＰを出力極性反転信号ＦＲＰｏｕｔとして出力して駆動アンプ６０に出力する。この場合、出力極性反転信号ＦＲＰｏｕｔは極性反転信号ＦＲＰと同じ信号となり、通常の駆動状態となる。
【００４２】
一方、パワーセーブ制御信号Ｐｓａｖがハイレベルに設定されて、パワーセーブ状態に設定される場合には、インバータ回路４０ａから出力されアンド回路４０ｂの一方の入力端に印加される信号レベルがローレベルとなるため、アンド回路４０ｂの出力レベルはローレベルに設定され、出力極性反転信号ＦＲＰｏｕｔはローレベルに設定されて、ローレベルに設定された出力極性反転信号ＦＲＰｏｕｔが駆動アンプ６０に入力され、これにより、コモン電圧Ｖｃｏｍが所定の低信号レベルを有する一定電圧（ローレベル：第２の信号電圧）に設定される。ここで、コモン電圧Ｖｃｏｍに設定される一定電圧は、例えば、接地電位（０Ｖ）に設定される。
【００４３】
これにより、パワーセーブ制御信号Ｐｓａｖがローレベルからハイレベルに切り替えられた場合に、ＦＲＰ制御回路４０から出力される出力極性反転信号ＦＲＰｏｕｔの信号レベルがローレベルに設定され、ローレベルに設定された出力極性反転信号ＦＲＰｏｕｔが駆動アンプ６０に入力されることにより、液晶表示パネル１０の共通電極に供給されるコモン電圧Ｖｃｏｍが、所定の低信号レベルを有する電圧（第２の信号電圧）に固定的に設定される。
【００４４】
以上説明した本実施形態における液晶表示装置１によれば、パワーセーブ制御信号Ｐｓａｖをハイレベルに切り替えて液晶表示装置１をパワーセーブ状態に設定する際に、液晶表示パネル１０の各画素電極に印加される電圧を所定の低信号レベルを有する電圧Ｖｌ（第１の信号電圧）に固定的に設定することができ、又、液晶表示パネル１０の共通電極に供給されるコモン電圧Ｖｃｏｍを所定の低信号レベルを有する電圧（第２の信号電圧）に固定的に設定される。ここで、第１の信号電圧及び第２の信号電圧は、例えば共に接地電位に設定される。これにより、第１の信号電圧と第２の信号電圧との電位差からなる液晶表示パネル１０の各液晶容量に印加される電位差が微小電圧に設定されることになり、表示画面の残像を迅速に消去することができ、また、各画素電極に対する残留電圧の印加を抑制することができて、残留電圧による焼き付きや液晶の劣化を抑制することができる。
【００４５】
尚、上記した実施形態では、第１の信号電圧及び第２の信号電圧を、共に接地電位（０Ｖ）とするものとしたが、本発明はこれに限るものではなく、両者を同電位とするものであればよい。更に、同電位にするものに限らず、第１の信号電圧と第２の信号電圧との電位差が、液晶表示パネル１０の液晶の閾値電圧（液晶表示パネル１０の透過率が液晶Ｃｌｃに印加される電圧が０Ｖの状態から変化し始める電圧：１Ｖ程度）より小さい電圧であってもよい。
【図面の簡単な説明】
【００４６】
【図１】本発明に係わる表示装置の全体構成の一実施形態を示すブロック図である。
【図２】本実施形態に係わる表示装置に適用される信号ドライバにおける、バッファ回路部の要部構成例を示す図である。
【図３】本実施形態に係わる表示装置に適用されるＦＲＰ制御回路の回路構成の一例を示す図である。
【図４】従来技術における液晶表示装置の概略構成の一例を示すブロック図である。
【図５】従来技術における液晶表示パネルの回路構成の一例を示す図である。
【図６】従来技術における液晶表示装置の信号ドライバにおけるバッファ回路の要部構成の一例を示す図である。
【符号の説明】
【００４７】
１    液晶表示装置
１０  液晶表示パネル
２０  ＲＧＢデコーダ
３０  ＬＣＤコントローラ
４０  ＦＲＰ制御回路
５０  反転アンプ
６０  駆動アンプ
７０  走査ドライバ
８０  信号ドライバ
【図１】
2005274868.tif 000003
【図２】
2005274868.tif 000004
【図３】
2005274868.tif 000005
【図４】
2005274868.tif 000006
【図５】
2005274868.tif 000007
【図６】
2005274868.tif 000008